(57)【要約】【課題】簡単な構造であり、商品の運搬や保管を行う時はシンプルな形状の箱体として商品を収容し、店頭では開封することなく包装用箱の一部をＰＯＰ部として組み立てて設け、消費者に強い印象を与えることができる表示機能付き包装用箱を提供する。【解決手段】箱体形成片１２から成り、筒体に組み立てられる側面１４，１６，１８，２０と、側面１６に連接され筒体の開口部を閉鎖する外蓋片３６を備える。外蓋片３６に設けられ破断線４４で区切られたＰＯＰ部４０と、ＰＯＰ部４０に設けられ商品についての説明が印刷された印刷部４１を有する。外蓋片３６から延出しＰＯＰ部４０の裏面に重ねられる裏板４２を備える。ＰＯＰ部４０を上方に立ち上げた状態で、ＰＯＰ部４０を外した外蓋片３６の開口部が、裏板４２により閉鎖される。【選択図】図１
2015034018.tif 000002
【特許請求の範囲】
【請求項１】
一枚のブランクシートから一体定的に打ち抜かれた箱体形成片から成り、前記箱体形成片には互いに平行に連接され筒体に組み立てられる側面と、前記側面の一つに折罫線を介して連接され前記箱体形成片の一部に糊付けされて前記側面の筒体の開口部を閉鎖する蓋部と、前記蓋部に設けられ前記折罫線に連続する破断線で区切られたＰＯＰ部と、前記ＰＯＰ部に設けられ商品についての説明が印刷された印刷部と、前記蓋部から延出し前記ＰＯＰ部の裏面に重ねられる裏板が設けられ、
前記箱体形成片を組み立てて、前記破断線を切断して前記ＰＯＰ部を前記蓋部から切り離して前記折罫線を回転軸として上方に立ち上げた状態で、前記ＰＯＰ部を外して形成された外蓋片の開口部が前記裏板により閉鎖されていることを特徴とする表示機能付き包装用箱。
【請求項２】
前記蓋部は前記側面の一つに折罫線を介して連接される外蓋片と、前記外蓋片が設けられた前記側面に対向する前記側面に折罫線を介して連接され前記外蓋片の裏面に重ねられて糊付けされる内蓋片が設けられ、前記外蓋片の端部には、前記破断線を介して前記裏板が設けられ、前記裏板の端部には前記外蓋片が設けられた前記側面の裏面に糊付けされる取付面が設けられ、前記箱体形成片の組み立て状態で、前記裏板は前記外蓋片の裏面に折り返され、前記取付面は前記外蓋片が設けられた前記側面の裏面に糊付けされ、前記裏板は前記内蓋片の表面に糊付けされて前記側面の筒体の開口部を前記外蓋片で閉鎖するものであり、前記外蓋片は前記裏板との境界線である前記破断線を切断して前記折罫線を回転軸として立ち上げて前記ＰＯＰ部となる請求項１記載の表示機能付き包装用箱。
【請求項３】
前記蓋部は前記側面の一つに折罫線を介して連接される外蓋片と、前記外蓋片が設けられた前記側面に対向する前記側面に折罫線を介して連接され前記外蓋片の裏面に重ねられて糊付けされる内蓋片が設けられ、前記外蓋片の端部には、折罫線を介して前記裏板が設けられ、前記裏板の端部には前記外蓋片が設けられた前記側面の裏面に糊付けされる取付面が設けられ、前記外蓋片には前記折罫線の途中の２箇所に連続する環状の一部に形成された前記破断線が設けられ、前記箱体形成片の組み立て状態で、前記裏板は前記外蓋片の裏面に折り返され、前記取付面は前記外蓋片が設けられた前記側面の裏面に糊付けされ、前記裏板は前記内蓋片の表面に糊付けされて前記側面の筒体の開口部を前記外蓋片で閉鎖するものであり、前記外蓋片の前記破断線を切断して前記破断線の内側の部分を前記折罫線を回転軸として立ち上げて前記ＰＯＰ部となる請求項１記載の表示機能付き包装用箱。
【発明の詳細な説明】
【技術分野】
【０００１】
この発明は、箱体形成片と一体に商品の説明が印刷されたＰＯＰ部が設けられている表示機能付き包装用箱に関する。
【背景技術】
【０００２】
従来、商品を収容して運搬や保管を行う包装用箱にＰＯＰ部を取り付けて、陳列するものがある。例えば、特許文献１に開示されている包装用ケースは、内容物を収納する包装用箱と、包装用箱の４面を筒状に覆う外装紙が設けられ、外包紙には印刷が施され、また切断誘導部によって囲まれたＰＯＰ部が設けられ、切断誘導部に沿って前記表示部を切起して展示または販売を行うものである。また、特許文献２に開示されている化粧箱は、一枚のブランクシートを切り込みおよび折り曲げて組み立てられ、側面または上部、下部における外面部の少なくとも一部にＰＯＰ部が設けられている。このＰＯＰ部には、ＰＯＰ図柄を表示し、箱体を組み立てた時にＰＯＰ部が箱体の外面部に平面状に重合されると共に、この重合状態から外側に引き離されて立体的に展開され、この展開状態でＰＯＰ部のＰＯＰ図柄が表示されるようにしたものである。
【先行技術文献】
【特許文献】
【０００３】
【特許文献１】特開平６−７２４３３号公報
【特許文献２】特開２００１−１８０６５６号公報
【発明の概要】
【発明が解決しようとする課題】
【０００４】
上記背景技術の場合、特許文献１の包装用ケースは、包装用箱と別体の外装紙が必要であり、コストがかかり組立工程も手間がかかるものである。特許文献２の化粧箱は、箱体の部材の数が多く、ブランクシートを切り取る面積が大きく、また折り曲げて糊付けする組み立て工程が複雑であり、コストがかかり組立作業も面倒で手間がかかるものである。
【０００５】
この発明は、上記背景技術の問題点に鑑みてなされたものであり、簡単な構造であり、商品の運搬や保管を行う時はシンプルな形状の箱体として商品を収容し、店頭では開封することなく包装用箱の一部をＰＯＰ部として組み立てて設け、消費者に強い印象を与えることができる表示機能付き包装用箱を提供することを目的とする。
【課題を解決するための手段】
【０００６】
本発明は、一枚のブランクシートから一体定的に打ち抜かれた箱体形成片から成り、前記箱体形成片には互いに平行に連接され筒体に組み立てられる側面と、前記側面の一つに折罫線を介して連接され前記箱体形成片の一部に糊付けされて前記側面の筒体の開口部を閉鎖する蓋部と、前記蓋部に設けられ前記折罫線に連続する破断線で区切られたＰＯＰ部と、前記ＰＯＰ部に設けられ商品についての説明が印刷された印刷部と、前記蓋部から延出し前記ＰＯＰ部の裏面に重ねられる裏板が設けられ、前記箱体形成片を組み立てて、前記破断線を切断して前記ＰＯＰ部を前記蓋部から切り離して前記折罫線を回転軸として上方に立ち上げた状態で、前記ＰＯＰ部を外して形成された外蓋片の開口部が前記裏板により閉鎖される表示機能付き包装用箱である。
【０００７】
前記蓋部は前記側面の一つに折罫線を介して連接される外蓋片と、前記外蓋片が設けられた前記側面に対向する前記側面に折罫線を介して連接され前記外蓋片の裏面に重ねられて糊付けされる内蓋片が設けられ、前記外蓋片の端部には、前記破断線を介して前記裏板が設けられ、前記裏板の端部には前記外蓋片が設けられた前記側面の裏面に糊付けされる取付面が設けられている。前記箱体形成片の組み立て状態で、前記裏板は前記外蓋片の裏面に折り返され、前記取付面は前記外蓋片が設けられた側面の裏面に糊付けされ、前記裏板は前記内蓋片の表面に糊付けされて前記側面の筒体の開口部を前記外蓋片で閉鎖するものである。前記外蓋片は前記裏板との境界線である前記破断線を切断して前記折罫線を回転軸として立ち上げて前記ＰＯＰ部となるものである。
【０００８】
前記蓋部は前記側面の一つに折罫線を介して連接される外蓋片と、前記外蓋片が設けられた前記側面に対向する前記側面に折罫線を介して連接され前記外蓋片の裏面に重ねられて糊付けされる内蓋片が設けられ、前記外蓋片の端部には、折罫線を介して前記裏板が設けられ、前記裏板の端部には前記外蓋片が設けられた前記側面の裏面に糊付けされる取付面が設けられ、前記外蓋片には前記折罫線の途中の２箇所に連続する環状の楕円形等の一部に形成された前記破断線が設けられている。前記箱体形成片の組み立て状態で、前記裏板は前記外蓋片の裏面に折り返され、前記取付面は前記外蓋片が設けられた側面の裏面に糊付けされ、前記裏板は前記内蓋片の表面に糊付けされて前記側面の筒体の開口部を前記外蓋片で閉鎖するものである。前記外蓋片は前記破断線を切断して前記折罫線を回転軸として立ち上げて前記ＰＯＰ部となるものである。
【発明の効果】
【０００９】
本発明の表示機能付き包装用箱は、簡単な構造で、商品の運搬や保管を行う時はシンプルな形状の箱体として商品を収容し、店頭では開封することなく包装用箱の一部をＰＯＰ部として組み立てて設け、消費者に強い印象を与えることができる。しかも、包装用箱の一部をＰＯＰ部として切断して引き起こしても開口部の裏面側に覆い部分があるため、開封されることがなく、収容された商品を保護することができる。
【図面の簡単な説明】
【００１０】
【図１】この発明の第一実施形態の表示機能付き包装用箱のＰＯＰ部を立ち上げた状態を示す斜視図である。
【図２】この発明の第一実施形態の表示機能付き包装用箱のＰＯＰ部を立ち上げる前の状態を示す斜視図である。
【図３】この発明の第一実施形態の表示機能付き包装用箱のＰＯＰ部を立ち上げた状態を示す縦断面図である。
【図４】この発明の第一実施形態の表示機能付き包装用箱のＰＯＰ部を立ち上げる前の状態を示す縦断面図である。
【図５】この発明の第一実施形態の表示機能付き包装用箱の展開図である。
【図６】この発明の第二実施形態の表示機能付き包装用箱のＰＯＰ部を立ち上げた状態を示す斜視図である。
【図７】この発明の第二実施形態の表示機能付き包装用箱のＰＯＰ部を立ち上げる前の状態を示す斜視図である。
【図８】この発明の第二実施形態の表示機能付き包装用箱の展開図である。
【発明を実施するための形態】
【００１１】
以下、この発明の実施形態について図面に基づいて説明する。図１〜図５はこの発明の第一実施形態を示すもので、この実施形態の表示機能付き包装用箱１０は、厚紙等の１枚のブランクシートを打ち抜いて形成された箱体形成片１２を組み立てて設けられている。図５は、箱体形成片１２を表面から見た展開図であり、箱体形成片１２は側面１４，１６，１８，２０が順に連接されている。側面１４，１６，１８，２０は、連接方向と直交する幅方向は同じ長さであり、連接方向の長さは側面１６，２０が長くて互いにほぼ等しく、側面１４，１８がそれより短くて互いにほぼ等しい。側面２０の側縁部には、表示機能付き包装用箱１０の組立状態で側面１４の裏面に糊付けされる糊付片２２が設けられている。側面１４，１６，１８，２０、糊付片２２は、各々折罫線２４，２６，２８，３０で区切られている。
【００１２】
側面１４の、側面どうしの連接方向に対して直角な方向の一対の端部には、矩形のフラップ３２が折罫線３４で区切られて各々設けられている。
【００１３】
側面１６の折罫線３４に隣接する一方の端部には、表示機能付き包装用箱１０の組み立て状態で、側面１４，１６，１８，２０で作られた筒体の開口部を閉鎖する蓋部である外蓋片３６が折罫線３８で区切られて設けられている。外蓋片３６は、折罫線３８に接する幅が側面２０と等しい矩形である。外蓋片３６は表示機能付き包装用箱１０の組み立て状態でＰＯＰ部４０となるものであり、商品名や商品についての説明が印刷された印刷部４１が設けられている。外蓋片３６の折罫線３８と反対側の端部には、矩形の裏板４２が破断線４４で区切られて設けられている。破断線４４の中心は切断線４５となり、切断線４５は裏板４２の中心に向かってゆるやかに膨出する湾曲線で形成されている。裏板４２は矩形であり、破断線４４に接する幅が外蓋片３６よりも少し短く、破断線４４に対して直角な方向は外蓋片３６とほぼ同じ長さに形成されている。裏板４２の破断線４４と反対側の端部には、取付面４６が折罫線４８で区切られて設けられている。取付面４６は矩形であり、折罫線４８に接する幅が裏板４２とほぼ同じ長さであり、折罫線４８に対して直角な方向は裏板４２よりも少し短く形成されている。折罫線３８，４８には、切り込みが設けられ、折り曲げが容易に形成されている。
【００１４】
側面１６の、折罫線３８と反対側の端部には、矩形の底蓋片５０が折罫線５２で区切られて設けられている。底蓋片５０の、折罫線５２と反対側の端部には、表示機能付き包装用箱１０の組み立て状態で側面２０の裏面に差し込んで係止する差込片５４が折罫線５６で区切られて設けられている。
【００１５】
側面１８の、側面どうしの連接方向に対して直角な方向の一対の端部には、矩形のフラップ５８が折罫線６０で区切られて各々設けられている。
【００１６】
側面２０の、外蓋片３６側の端部には、内蓋片６２が折罫線６４で区切られて設けられている。内蓋片６２は、破断線６４に接する幅が側面２０と等しく、先端側の幅がそれより狭くなる台形状に形成されている。なお、各折罫線には、折り曲げ易いように切り込みや破断線が設けられてもよい。
【００１７】
次に、この実施形態の表示機能付き包装用箱１０の組立方法の一例について説明する。なお、ここでは図５が表示機能付き包装用箱１０の箱体形成片１２の表面を見たものであり、箱体形成片１２の表面が凸になる折り方を正折り、そして裏面が凸になる折り方を逆折りと称する。
【００１８】
まず、取付面４６の裏面に糊６６を塗布し、破断線４４を正折りして、裏板４２を外蓋片３６の裏面に折り返し、取付面４６の裏面を側面１６の裏面に糊６６により糊付けする。この時、破断線４４の切断線４５の内側の半円形の部分は外蓋片３６の側方に突出する。次に、糊付片２２の表面に糊６８を塗布し、折罫線２８を正折りし、次に折罫線２４を正折りする。これにより、側面１４の裏面は糊６８により糊付片２２の表面に糊付けされ、折り畳み状態となり、この状態で箱体形成片１２による折り畳み状態の表示機能付き包装用箱１０が出荷される。
【００１９】
次に、商品を収容し包装する工場等において、折罫線２４，２６，２８，３０を各々９０°に正折りして四角形の箱体にする。箱体の外蓋片３６側の端部の、折罫線３４，６０でフラップ３２，５８を９０°に正折りする。そして裏板４２の表面に糊７０を塗布し、内蓋片６２を破断線６４で９０°に正折りし、次に折罫線３８で外蓋片３６を９０°に正折りする。これにより、外蓋片３６の裏面に折り重ねられている裏板４２が内蓋片６２の表面に糊付けされ、外蓋片３６が閉鎖されて上面が形成される。
【００２０】
次に、組み立てられた側面１４，１６，１８，２０と上面からなる箱体の内側に商品を入れ、箱体の底蓋片５０側の端部の、折罫線３４，６０でフラップ３２，５８を９０°に正折りし、折罫線５２で底蓋片５０を９０°に正折りし、その後差込片５４を折罫線５６で正折りし、差込片５４を側面２０の裏面側に差し込んで係止し、底面が形成され、図２、図４に示すように包装が完了する。なお、箱体形成片１２を組み立てる順番はこれ以外でもよく、適宜変更可能である。
【００２１】
次に、この実施形態の表示機能付き包装用箱１０の使用方法について説明する。まず、商品の運搬や保管を行うときは、図２、図４に示すようにシンプルな箱体の状態にする。店頭で陳列する時は、印刷部４１が設けられている外蓋片３６を上方に向けて立たせて陳列する。さらに印刷部４１をより強く印象付ける場合は、外蓋片３６の側縁部から突出する切断線４５の内側の半円形の部分に指を掛け外側に引き起こし、破断線４４を切断し、折罫線３８を回転軸として外蓋片３６を上方に立ち上げる。外蓋片３６は、図１、図３に示すように側面１６とほぼ平行なＰＯＰ部４０となり、印刷部４１が上面から突出して見やすくなる。ＰＯＰ部４０の裏面には裏板４２が糊７０で内蓋片６２に糊付けされているため、箱体の上面は裏板４２と内蓋片６２で閉鎖された状態を維持している。
【００２２】
商品を取り出すときは、例えば底蓋片５０の差込片５４を側面２０の裏面から引き抜いて開封する。
【００２３】
この実施形態の表示機能付き包装用箱１０によれば、簡単な構造で商品の運搬や保管を行う時はシンプルな箱体として商品を収容し、店頭ではＰＯＰ部４０を引き起こしてセットし、商品についての説明を印刷した印刷部４１を見やすいように提示し、消費者に強い印象を与えることができる。ＰＯＰ部４０を組み立てる際は、上面に位置する切断線４５による突起に指を掛けて破断線４４を切断するという簡単な操作で、ＰＯＰ部４０を上面から外すことができ、切断の開始が容易であり便利である。ＰＯＰ部４０を上面から外しても裏板４２と内蓋片６２が上面を閉鎖しているため、開封されることがなく、商品を確実に包装することができる。外蓋片３６に印刷部４１が位置しているためＰＯＰ部４０として立てなくてもよく、店舗の状況に合わせてＰＯＰ部４０を立てるか選択することができる。
【００２４】
次にこの発明の第二実施形態について図６〜図８に基づいて説明する。なお、ここで、上記実施形態と同様の部材は同一の符号を付して説明を省略する。この実施形態の表示機能付き包装用箱７２は、厚紙等の１枚のブランクシートを打ち抜いて形成された箱体形成片７４を組み立てて設けられている。図８は、箱体形成片７４を表面から見た展開図である。
【００２５】
側面１６の折罫線３４に隣接する一方の端部には、表示機能付き包装用箱７２の組み立て状態で、側面１４，１６，１８，２０で作られた筒体の開口部を閉鎖する蓋部である外蓋片７６が折罫線７８で区切られて設けられている。外蓋片７６の折罫線７８と反対側の端部には、矩形の裏板８０が折罫線８３で区切られて設けられている。裏板８０は矩形であり、折罫線８３に接する幅が外蓋片７６よりも少し短く、折罫線８３に対して直角な方向は外蓋片７６とほぼ同じ長さに形成されている。外蓋片７６には、折罫線７８上の、折罫線２４近傍と、折罫線７８の中心よりも少し折罫線２６に近い位置の２箇所に連続する環状の破断線８４が設けられている。破断線８４は楕円形の一部に形成され、楕円は折罫線８３に達してわずかに裏板８０に突出している。折罫線８３は破断線８４で分断され、破断線８４の内側には設けられていない。破断線８４の楕円の長軸は、折罫線７８上では折罫線２４に近く折罫線８３上では折罫線２６に近くなるように傾斜している。破断線８４で囲まれた部分はＰＯＰ部８６となり、商品名や商品についての説明が印刷された印刷部４１が設けられている。折罫線７８，９０には、適宜切り込みが設けられ、折り曲げが容易に形成されている。
【００２６】
裏板８０の折罫線８３と反対側の端部には、取付面８８が折罫線９０で区切られて設けられている。取付面８８は矩形であり、折罫線９０に接する幅が裏板８０とほぼ同じ長さであり、折罫線９０に対して直角な方向は裏板８０よりも少し短く形成されている。
【００２７】
次にこの実施形態の表示機能付き包装用箱７２の組立方法の一例について説明する。なお、ここでは図８が表示機能付き包装用箱７２の箱体形成片７４の表面を見たものであり、箱体形成片７４の表面が凸になる折り方を正折り、そして裏面が凸になる折り方を逆折りと称する。
【００２８】
まず、取付面８８の裏面に糊９２を塗布し、折罫線８３を正折りして、裏板８０を外蓋片７６の裏面に折り返し、取付面８８の裏面を側面１６の裏面に糊９２により糊付けする。この時、破断線８４の折罫線８３から突出した部分は外蓋片７６の側方に突出する。糊付片２２の表面に糊６８を塗布し、折罫線２８を正折りし、次に折罫線２４を正折りする。これにより、側面１４の裏面は糊６８により糊付片２２の表面に糊付けされ、折り畳み状態となり、この状態で箱体形成片７４による折り畳み状態の表示機能付き包装用箱７２が出荷される。
【００２９】
次に、商品を収容し包装する工場等において、折罫線２４，２６，２８，３０を各々９０°に正折りして四角形の箱体にする。箱体の外蓋片７６側の端部の、折罫線３４，６０でフラップ３２，５８を９０°に正折りする。そして裏板８０の表面に糊７０を塗布し、内蓋片６２を破断線６４で９０°に正折りし、折罫線７８で裏板８０を９０°に正折りする。これにより、外蓋片７６の裏面に折り重ねられている裏板８０が内蓋片６２の表面に糊付けされ、外蓋片７６が閉鎖されて上面が形成される。次に組み立てられた側面１４，１６，１８，２０と上面からなる箱体の内側に商品を入れ、箱体の底蓋片５０側の端部の、折罫線３４，６０でフラップ３２，５８を９０°に正折りし、折罫線５２で底蓋片５０を９０°に正折りし、その後差込片５４を折罫線５６で正折りし、差込片５４を側面２０の裏面側に差し込んで係止し、底面が形成され、図７に示すように包装が完了する。
【００３０】
次に、この実施形態の表示機能付き包装用箱７２の使用方法について説明する。まず、商品の運搬や保管を行うときは、図７に示すようにシンプルな箱体の状態にする。店頭で陳列する時は、印刷部４１が設けられている外蓋片７６を上方に向けて立たせて陳列する。さらに印刷部４１をより強く印象付ける場合は、外蓋片７６の側縁部から突出する破断線８４の内側の部分に指を掛け外側に引き起こし、破断線８４を切断し、折罫線７８を回転軸として破断線８４の内側であるＰＯＰ部８６を上方に立ち上げる。ＰＯＰ部８６は図６に示すように、側面１６とほぼ平行となり、印刷部４１が上面から突出して見やすくなる。外蓋片７６の裏面には裏板８０が糊７０で内蓋片６２に糊付けされているため、ＰＯＰ部８６を外して形成された外蓋片７６の開口部は裏板８０により閉鎖され、これにより箱体の上面は閉鎖された状態を維持している。
【００３１】
この実施形態の表示機能付き包装用箱７２によれば、上記実施形態と同様の使用方法であり、同様の効果を有するものである。ＰＯＰ部８６は長軸が傾いた楕円形に設けられているため、印象的であり消費者の関心を引くことができる。
【００３２】
なお、この発明は上記各実施形態に限定されるものではなく、各側面の大きさや形状、底部の構造等、自由に変更可能である。ＰＯＰ部の大きさや数、位置、形状等は適宜変更可能である。箱体形成片の、側面や蓋片、糊付片等の連接する順番は異なるものでもよく、箱体形成片を組み立てる順番も適宜変更可能である。包装用箱の素材は紙以外にプラスチック等他の素材でもよい。各折罫線には、折り曲げ易いように破断線が設けられてもよい。
【符号の説明】
【００３３】
１０，７２  表示機能付き包装用箱
１２，７４  箱体形成片
１４，１６，１８，２０  側面
２２  糊付片
３２，５８  フラップ
３６，７６  外蓋片
３８，７８  折罫線
４０，８６  ＰＯＰ部
４１  印刷部
４２，８０  裏板
４４，８４  破断線
４６，８８  取付面
５０  底蓋片
５４  差込片
６２  内蓋片
６６，６８，７０，９２  糊
【図１】
2015034018.tif 000003
【図２】
2015034018.tif 000004
【図３】
2015034018.tif 000005
【図４】
2015034018.tif 000006
【図５】
2015034018.tif 000007
【図６】
2015034018.tif 000008
【図７】
2015034018.tif 000009
【図８】
2015034018.tif 000010